(57)【要約】 【課題】  耐火性に優れると共に、建物の倒壊の時にも十分耐える構造であるばかりでなく、持ち運びにくい、つまり、盗難予防に優れた金庫を提供する。【解決手段】本体１と蓋体２を、中子１ａ，２ａをそれぞれ鉄鋳物で包むように鋳造し、本体１と蓋体２の前面上部にそれぞれ南京錠３の閂３ａを挿通させる掛止部９，９と掛止部１０を設け、反対側の本体１の内面にＵ字状のストッパー４を、又蓋体２の下面には蝶番金物５を設ける。また本体１の外側下面の形状を球面状に形成し、蓋体２に軸７ａを螺合した開閉用ハンドル７を着脱自在に設ける。【選択図】図３
2017186754.tif 000002
【特許請求の範囲】
【請求項１】
本体と蓋体を、内部に耐熱材を積み込む状態に設けた鉄鋳物で構成したことを特徴とする金庫。
【請求項２】
前記本体の外面下部を略球面上に形成したことを特徴とする請求項１記載の金庫。
【請求項３】
開閉用ハンドルを前記蓋体に着脱自在に設けたことを特徴とする請求項１又は２に記載の金庫。
【請求項４】
前記本体内又は本体底面に重りを設けたことを特徴とする請求項１ないし３のいずれかに記載の金庫。
【発明の詳細な説明】
【技術分野】
【０００１】
本発明は、盗難防止上、その構造が堅牢で、錐の鑽孔に耐えると共に、建物の倒壊時にも耐え且つ耐火性に優れ、しかも小型金庫でも持ち運びに困難な金庫に関するものである。
【背景技術】
【０００２】
近年、マイナンバー制の施行や、低金利の影響を受け、家庭用の小型金庫の需要が増大し、ホームセンター等で種々の小型金庫が販売されている。
【０００３】
ところが、市販の家庭用小型金庫は、何れも一見して金庫であると分かる体裁を採り、しかも可搬性を考慮しているため、盗難の標的になりやすいものであるばかりでなく、耐火性能が十分でなく、又建物の倒壊時に十分耐えるものではないものが多い。
【先行技術文献】
【特許文献】
【０００４】
【特許文献１】特開２００３−１８４４３０号公報
【発明の概要】
【発明が解決しようとする課題】
【０００５】
そこで、本発明は、耐火性に優れると共に、建物の倒壊時にも十分耐える構造であるばかりでなく、持ち運びにくい、つまり、盗難予防に優れた金庫を提供しようとするものである。
【課題を解決するための手段】
【０００６】
本発明は、上記の課題を解決するためになされたもので、請求項１記載の発明は、本体と蓋体を、内部に断熱材を包み込む状態に設けた鉄鋳物で構成したことを特徴とする金庫である。
【０００７】
請求項２記載の発明は、請求項１記載の発明おいて、前記本体の外面下部を略球面状に形成したことを特徴とする金庫である。
【０００８】
請求項３記載の発明は、請求項１ないし２記載の発明おいて、前記蓋体に開閉用ハンドルを着脱自在に設けたことを特徴とする金庫である。
【０００９】
請求項４記載の発明は、請求項１ないし３記載の発明おいて、前記本体内又は本体底面に重りを設けたことを特徴とする金庫である。
【発明の効果】
【００１０】
請求項１記載の発明によれば、耐熱性と耐衝撃性があり、しかも重く、盗まれにくい効果がある。
【００１１】
請求項２記載の発明によれば、本体下部が略球面状になっているため手で持ち上げる際に滑りやすく、持ち運びにくいため盗まれにくい効果がある。
【００１２】
請求項３記載の発明によれば、普段、ハンドルを蓋体から外しておけば、錠を外されても蓋が重く、蓋を開けにくいため、金庫の中身を持ち出され難いという効果がある。
【００１３】
請求項４記載の発明によれば、重りによって金庫全体の重さを調節することが出来るので、人力では移動又は持ち運び難くして金庫の盗難を防止することが出来る。
【図面の簡単な説明】
【００１４】
【図１】本発明の実施例１の平面図である。
【図２】本発明の実施例１の側面図である。
【図３】本発明の実施例１のＡ−Ａ線断面図である。
【図４】本発明の実施例１における蝶番金物とそのストッパーを示すもので、（ａ）図は正面図、（ｂ）図は側面図である。
【実施例１】
【００１５】
図１は本発明の実施例１の平面図、図２はその側面図、図３は図１のＡ−Ａ線断面図で、１は金庫の本体、２は蓋体、３は南京錠、４は本体１の内面に設けたＵ字状のストッパー、５は蓋体２の下面に設けた支持部６の上端を枢着した蝶番金物、７は蓋体２に設けた開閉用ハンドルである。
【００１６】
本体１と蓋体２は、何れも鉄鋳物製で、断熱材が内装されている。
【００１７】
本実施例では、本体１と蓋体２を鋳造するに際して、砂と水の混合材を用いて成る中子１ａと中子２ａを造形し、それを包むように本体１と蓋体２を鋳造したものである。しかし、鋳造後、穴から中子１ａ，２ａの砂を排出させ、砂に代えて、、他の断熱材、例えば流動性モルタル、珪藻土、シルケットコットン、アスベスト粉等を前記穴から流し込んで内装するようにしてもよい。
【００１８】
そして、本体１の上部には円形の蓋体２が嵌合され、各前面（図１，２では左側）上部にはそれぞれ南京錠３の閂３ａを挿通させる掛止部９，９と掛止部１０が設けられ、反対側の本体１の内面にはＵ字状のストッパー４が、また蓋体２の下面には、図４に示すような、蝶番金物５が設けられている。
【００１９】
更に、本体１の外側下部の形状を持ち上げの際、手が滑り易いように、略球面状に形成されている。
【００２０】
蝶番金物５の上端には両側に軸５ａ，５ａが設けられ、この軸５ａ，５ａは蓋体２の下面に設けた支持部６に枢着されている。そして蝶番金物５の下端両側には前記Ｕ字状のストッパー４と係合する突起５ｂ，５ｂが設けられている。
【００２１】
開閉用ハンドル７は軸７ａを蓋体２の上面中央に着脱自在に螺合されている。また、８，８は本体１内に入れた重さ調整用の重りである。なお、この調整用の重りは金属接着剤やボルト等で本体１の下面に取り付けることもできる。
【００２２】
実施例１の金庫の大きさは３６ｃｍ×４４ｃｍ×３１ｃｍで、本体１は約４２ｋｇ、蓋体２は９ｋｇで、耐荷重は５０ｔ以上である。
【００２３】
以上の本発明に係る金庫は、鉄鋳物製で本体１と蓋体２の内部に中子１ａ，２ａ、即ち断熱材（実施例では砂）を包み込む状態に構成されているため、耐火性が高く、火災、地震等により家屋が焼け落ちた場合でも、収納した現金、権利書、通帳、証書等の貴重品を保護することが出来る。
【００２４】
また、重く、簡単には動かすことができず、しかも持ち上げようとしても、本体１の下部が滑りやすい球面状であるため、持ち去ることが難しく、また、ハンドル７を外しておけば、南京錠３が外されても、蓋体２は上記のように重さが９ｋｇもあり重いため、蓋体２を持ち上げて開けることは困難であるから、盗難予防に優れた金庫を提供することが出来る。
【００２５】
なお、蝶番金物５は、マンホール鉄蓋に用いられているものと同様のもので、蓋体２を開く場合は、南京錠３を外した後、ハンドル７を持って蓋体２を持ち上げ、水平に回動して、図３の想像線図示のように開くものである。
【００２６】
本実施例１では、蓋体２を円形としたが、正方形、矩形、楕円形等であってもよいことは勿論である。
【符号の説明】
【００２７】
１          本体
１ａ，２ａ  中子
２          蓋体
３          南京錠
３ａ        閂
４          ストッパー
５          蝶番金物
５ａ        軸
５ｂ        突起
６          支持部
７          ハンドル
７ａ        軸
８          重り
９，１０    掛止部
【図１】
2017186754.tif 000003
【図２】
2017186754.tif 000004
【図３】
2017186754.tif 000005
【図４】
2017186754.tif 000006